(57)【要約】【課題】斬新な見栄えを実現した車両用表示装置を提供する。【解決手段】車両に搭載される車両用表示装置は、光源光を提供する光源部と、実体物として形成され、可動して指標部７５を指示すると共に、光源光を内部に取り込んで視認側に発光する発光指針６０と、発光指針６０よりも視認側に配置され、透光性を有する透光板７０と、を備える。透光板７０は、発光指針６０の可動範囲と対向して配置され、発光指針６０が発光した光源光にぼかし作用を付与することで、発光指針６０の一部分の輪郭をぼかして表示するぼかし部７２を有する。【選択図】図５
2018197724.tif 000002
【特許請求の範囲】
【請求項１】
車両に搭載される車両用表示装置であって、
光源光を提供する光源部（２２）と、
実体物として形成され、可動して指標部（７５）を指示すると共に、前記光源光を内部に取り込んで視認側に発光する発光指針（６０）と、
前記発光指針よりも視認側に配置され、透光性を有する透光板（７０）と、を備え、
前記透光板は、前記発光指針の可動範囲と対向して配置され、前記発光指針が発光した前記光源光にぼかし作用を付与することで、前記発光指針の一部分の輪郭をぼかして表示するぼかし部（７２）を有する車両用表示装置。
【請求項２】
前記ぼかし部は、前記発光指針の可動範囲と対向する領域のうち、前記発光指針が前記指標部と重なって視認される領域を避けて設けられている請求項１に記載の車両用表示装置。
【請求項３】
前記ぼかし部は、
前記透光板の板面（７０ｂ，７０ｃ）上において、前記発光指針が発光した前記光源光に光学作用を及ぼす材料により形成され、前記発光指針の延伸方向（ＥＤ）と交差して伸びる筋状の筋状部（７３）と、
前記板面が露出する露出部（７４）と、を有し、
前記筋状部と前記露出部とが交互に並べられて配置されている請求項１又は２に記載の車両用表示装置。
【請求項４】
前記発光指針は、指針軸（ＡＸ）まわりに回動し、
前記筋状部は、円環状に形成され、前記指針軸を中心とした同心円上に複数並べてられている請求項３に記載の車両用表示装置。
【請求項５】
前記指標部は、目盛の形状をなす目盛指標（７５ａ）及び文字の形状をなす文字指標（７５ｂ）を有し、
前記発光指針は、
前記目盛指標と重なって視認される箇所において、内部に取り込んだ前記光源光を視認側に射出する光射出部（６７）と、
前記文字指標と重なって視認される箇所において、内部に取り込んだ前記光源光の視認側への射出を規制する光射出規制部（６６）と、を有する請求項１から４のいずれか１項に記載の車両用表示装置。
【請求項６】
前記指標部は、前記透光板に設けられている請求項１から５のいずれか１項に記載の車両用表示装置。
【請求項７】
前記透光板は、一対の板面のうちいずれかの板面から反対の板面側へ凹む複数の凹状穴（７６）を有し、
前記複数の凹状穴の側壁面（７６ｂ）による輪郭が指標の形状をなすことで、前記指標部が設けられている請求項１から６のいずれか１項に記載の車両用表示装置。
【発明の詳細な説明】
【技術分野】
【０００１】
本開示は、車両に搭載される車両用表示装置に関する。
【背景技術】
【０００２】
従来、車両に搭載される車両用表示装置が知られている。特許文献１に開示の装置は、光源部、発光指針及び表示板を有している。光源部は、光源光を提供する。発光指針は、実体物として形成され、光源光を内部に取り込んで視認側とは反対側の背面側及び側面が発光する。表示板（文字板）は、発光指針よりも背面側に配置されている。
【０００３】
ここで、表示板の上面は、白色あるいは白色系の明度の高い着色層とされ、発光指針の背面及び側面から光源光が照射されて写真のハレーションのような光輝反射が生じやすいようになっている。発光指針は、その上面に形成した無透過層により、光源光が視認側に照射されないので、当該発光指針はシルエット状に現れる。
【先行技術文献】
【特許文献】
【０００４】
【特許文献１】特開２０００−１８６９４７号公報
【発明の概要】
【発明が解決しようとする課題】
【０００５】
しかしながら、特許文献１の構成では、発光指針の上面は発光しないが、発光指針の側面が発光するので、結局、実体物の指針の輪郭が明確に視認され、十分に斬新な見栄えとはいえなかった。
【０００６】
開示されるひとつの目的は、斬新な見栄えを実現した車両用表示装置を提供することにある。
【課題を解決するための手段】
【０００７】
ここに開示された車両用表示装置は、車両に搭載される車両用表示装置であって、
光源光を提供する光源部（２２）と、
実体物として形成され、可動して指標部（７５）を指示すると共に、光源光を内部に取り込んで視認側に発光する発光指針（６０）と、
発光指針よりも視認側に配置され、透光性を有する透光板（７０）と、を備え、
透光板は、発光指針の可動範囲と対向して配置され、発光指針が発光した光源光にぼかし作用を付与することで、発光指針の一部分の輪郭をぼかして表示するぼかし部（７２）を有する。
【０００８】
このような車両用表示装置によると、透光板においてぼかし部は、発光指針の可動範囲と対向して配置される。こうして、視認側からは、ぼかし部を通して発光指針の少なくとも一部分が視認されることとなるが、発光指針が発光した光源光が当該ぼかし部の影響によりぼかし作用を受ける結果、当該発光指針の一部分の輪郭は、ぼかされて表示されることとなる。故に、実体物の指針を用いた場合であっても、輪郭をぼかして視認させることにより、従来にはない斬新な見栄えを実現することができるのである。
【０００９】
なお、括弧内の符号は、後述する実施形態の部分との対応関係を例示的に示すものであって、技術的範囲を限定することを意図するものではない。
【図面の簡単な説明】
【００１０】
【図１】一実施形態における車両用表示装置を部分的に示す正面図である。
【図２】図１のII−II線断面図である。
【図３】一実施形態における透光板の構成と発光指針との関係を説明するための図である。
【図４】図３のIV−IV線断面図である。
【図５】一実施形態における表示例を説明するための模式図である。
【図６】一実施形態における発光指針の発光を説明するための模式図であって、背面側から針状部及び透光板をみた図である。
【発明を実施するための形態】
【００１１】
一実施形態を図面に基づいて説明する。
【００１２】
（第１実施形態）
図１に示すように、本開示の一実施形態による車両用表示装置１００は、車両に搭載され、当該装置１００を視認する乗員が着座する座席と対向するインストルメントパネルに設置されている。車両用表示装置１００は、乗員が着座することとなる視認側へ向けて車両の情報を表示可能となっている。
【００１３】
このような車両用表示装置１００は、図２にも示すように、ケース部１０、実装基板２０、背景表示板３０、画像表示部４０、指針用光源部２２、指針駆動部５０、発光指針６０、透光板用光源部２４、及び透光板７０等により構成されている。
【００１４】
ケース部１０は、背面側ケース１１、視認側ケース１２、プレートウインド部材１３、及びスモーク板１４を有している。背面側ケース１１は、例えば合成樹脂により遮光性に形成されており、実装基板２０を、視認側とは反対側の背面側から覆っている。
【００１５】
背面側ケース１１よりも視認側に配置された視認側ケース１２は、例えば合成樹脂により遮光性に形成されており、発光指針６０等を外周側から囲む外枠部１２ａを形成していると共に、ケース内部空間を区画する区画部１２ｂを形成している。区画部１２ｂにおいて、視認側と背面側とを貫通する筒状に形成され、発光指針６０を挿通する指針挿通筒部１２ｃが設けられている。また、視認側ケース１２は、透光板用光源部２４及び透光板７０を保持している。
【００１６】
プレートウインド部材１３は、例えば合成樹脂により遮光性に形成されており、視認側ケース１２よりもさらに視認側に配置されている。プレートウインド部材１３は、装置１００の外周輪郭に沿って視認側及び背面側に開口部を有する筒状に形成されている。
【００１７】
スモーク板１４は、例えば着色されたアクリル樹脂又はポリカーボネイト樹脂等の半透光性樹脂により、プレートウインド部材１３の視認側開口部の全面を塞ぐ曲面板状に形成されている半透光板である。これにより、発光指針６０及び透光板７０は、スモーク板１４を通して乗員に視認されることとなる。本実施形態のスモーク板１４は、スモーク調の着色により、光の透過率が３０％程度に設定されているが、３０％以上の任意の値に設定されていてもよい。
【００１８】
実装基板２０は、背面側ケース１１と視認側ケース１２の区画部１２ｂとの間に配置され、例えば合成樹脂により平板状に形成されている。実装基板２０には、指針駆動部５０、指針用光源部２２の発光素子２２ａ等が実装及び保持されている。
【００１９】
背景表示板３０は、一般的に文字板とも呼ばれており、区画部１２ｂの視認側に保持されている。背景表示板３０は、例えば透光性を有する合成樹脂からなる基材の表面に、半透光性又は遮光性の印刷が部分的に施されて、平板状に形成されている。なお、印刷に代えて、塗装が施されていてもよい。
【００２０】
背景表示板３０における遮光性の印刷等による遮光領域３１は、後述する透光板７０の凹状穴７６による指標部７５の表示が引き立つように、当該凹状穴７６と対向する箇所において、暗色、特に黒色に設定されている。
【００２１】
画像表示部４０は、背景表示板３０の中央の領域に対応して配置されている。画像表示部４０は、背景表示板３０と実装基板２０との間に、背景表示板３０と近接して配置された液晶表示器ないしは有機ＥＬディスプレイ等の表示器４１を有している。
【００２２】
背景表示板３０において、表示器４１と対向する領域には、印刷等が施されないことで透光性を有する透光領域３２が、印刷により遮光性有する遮光領域３１に囲まれることで、矩形状に形成されている。こうして表示器４１に表示された画像の光は、背景表示板３０及び透光板７０を透過し、さらにスモーク板１４を介して乗員に画像を視認させる。
【００２３】
指針用光源部２２、指針駆動部５０、及び発光指針６０は、背景表示板３０の左右の領域に対応して複数設けられている。指針用光源部２２、指針駆動部５０、及び発光指針６０は、左右の領域で実質的に同様の構成となっているため、以下では左の領域の構成について代表して説明する。
【００２４】
指針用光源部２２は、光源光を発する複数の発光素子２２ａを有している。指針用光源部２２の各発光素子２２ａは、実装基板２０において視認側に実装され、指針挿通筒部１２ｃの内部に配置されている。指針挿通筒部１２ｃの背面側の端部が、全周に亘って実装基板２０に当接していることで、各発光素子２２ａが発する光源光は、指針挿通筒部１２ｃの外部へは漏れ難くなっている。本実施形態の各発光素子２２ａには、発光ダイオード素子が採用されており、各発光素子２２ａは、実装基板２０上の配線パターンを通じて電源と接続されることで、視認側へ向けて光源光を発する。なお、各発光素子２２ａは、単色に発光する発光素子であってもよく、色の切り替えが可能なマルチカラーの発光素子であってもよい。こうした指針用光源部２２により、光源光が提供される。
【００２５】
指針駆動部５０は、発光指針６０を駆動させる駆動機構として設けられている。本実施形態において指針駆動部５０には、ステッピングモータが採用されているが、交差コイル式ゲージ等の駆動機構が採用されてもよい。指針駆動部５０は、実装基板２０において背面側に保持されており、制御回路による制御に従って駆動する。具体的に、指針駆動部５０は、実装基板２０を貫通して当該実装基板２０よりも視認側の指針挿通筒部１２ｃの内部に配置された内機シャフト５１を回動させることが可能となっている。内機シャフト５１は、発光指針６０が回動する中心軸である指針軸ＡＸに沿って延伸している。
【００２６】
発光指針６０は、図３，４にも詳細を示すように、実体物として形成され、指針本体６１及びボスキャップ６９を有している。指針本体６１は、例えばアクリル樹脂又はポリカーボネイト樹脂等からなる基材により、透光性に形成されている。発光指針６０は、可動して後述する指標部７５を指示すると共に、指針用光源部２２からの光源光を内部に取り込んで視認側に発光する。指針本体６１は、連結部６２、ボス部６３、及び針状部６４を一体的に有している。
【００２７】
連結部６２は、背景表示板３０より背面側の指針挿通筒部１２ｃ内部において、指針軸ＡＸ上に配置されている。連結部６２の挿入穴６２ａに内機シャフト５１が圧入されていることにより、発光指針６０は指針駆動部５０と連結され、内機シャフト５１と共に指針軸ＡＸまわりに回動するようになっている。
【００２８】
ボス部６３は、背景表示板３０よりも視認側において、指針軸ＡＸ上に配置されると共に、連結部６２と針状部６４とを接続している。ボス部６３は、背面側から視認側へ向かう程、針状部６４へ近づくように傾斜する反射面６３ａを有している。発光素子２２ａから視認側へ進む光源光が反射面６３ａに入射して、針状部６４側へ反射されることにより、光源光が偏向される。
【００２９】
また、ボス部６３を視認側から覆うようにボスキャップ６９が設けられている。ボスキャップ６９は、例えば合成樹脂により、遮光性に形成されている。こうしたボスキャップ６９がボス部６３からの光源光の漏光を遮光するので、発光指針６０のうち針状部６４以外は、視認側から視認され難いようになっている。
【００３０】
針状部６４は、背景表示板３０よりも視認側において、ボス部６３から指針軸ＡＸとは実質垂直な延伸方向ＥＤに延伸する針状を呈している。針状部６４は、光射出部６５，６７及び光射出規制部６６を有している。光射出規制部６６は、針状部６４において基端側と先端側との中間部よりも少し先端側の箇所に設けられ、光射出部６５，６７は、当該光射出規制部６６を間に挟むように２箇所に設けられている。
【００３１】
針状部６４において背景表示板３０と対向する背面側には、基端側から先端側に亘って、平面状に形成された単一面６４ａが設けられている。単一面６４ａは、透光性の基材を鏡面状に露出させている。
【００３２】
一方、針状部６４において透光板７０と対向する視認側には、光射出規制部６６の配置箇所が光射出部６５，６７の配置箇所よりも背面側に凹むように、光射出規制部６６において凹部６６ａが形成されている。凹部６６ａは、透光性の基材を鏡面状に露出させている。なお、凹部６６ａは、視認側から背面側に凹んでいるだけであり、針状部６４において指針軸ＡＸに沿った方向からみた幅寸法は、凹部６６ａの存在に関係なく、連続的に設定されている。
【００３３】
そして、凹部６６ａを挟む両側の光射出部６５，６７の配置箇所では、透光板７０との間隔が一定の平面状に形成された発光面６５ａ，６７ａが、針状部６４の側面輪郭６４ｂに合わせた矩形状に形成されている。発光面６５ａ，６７ａは、例えばホットスタンピング等により、透光性の基材の表面に発光層が形成されることで、設けられている。本実施形態の発光面６５ａ，６７ａは、例えば白色をなし、入射する光を拡散することにより、発光可能となっている。
【００３４】
したがって、光射出部６５，６７は、発光指針６０の内部に取り込んだ光源光を、発光面６５ａ，６７ａにて拡散させることにより、当該発光指針６０の外部である視認側へ射出する。
【００３５】
これに対して、光射出規制部６６では、発光面６５ａ，６７ａよりも背面側に凹む凹部６６ａの形状と、発光層が形成されずに基材を露出させていることとが相俟って、光源光の視認側への射出が光射出部６５，６７よりも規制されている。もっとも、光射出規制部６６においても光源光が視認側へ漏光し得るが、漏光する光量は、光射出部６５，６７から射出される光源光に対して微量である。
【００３６】
透光板用光源部２４は、透光板７０の外縁部７０ａを囲むように、視認側ケース１２とプレートウインド部材１３との間に挟まれて保持されている光源用基板２５を有している。透光板用光源部２４は、光源用基板２５に実装され、外縁部７０ａと対向して配列された複数の発光素子２４ａを有している。本実施形態の各発光素子２４ａには、発光ダイオード素子が採用されており、各発光素子２４ａは、光源用基板２５上の配線パターンを通じて電源と接続されることで、視認側へ向けて光源光を発する。なお、各発光素子２４ａは、単色に発光する発光素子であってもよく、色の切り替えが可能なマルチカラーの発光素子であってもよい。
【００３７】
透光板７０は、例えばアクリル樹脂又はポリカーボネイト樹脂等からなる基材を用いて、透光性の板状に形成されている。より詳細に、本実施形態の透光板７０は、外縁部７０ａによる外周輪郭を矩形状に形成すると共に、板面７０ｂ，７０ｃを視認側及び背面側の両面に一対有する平板状を呈している。透光板７０は、背景表示板３０及び発光指針６０よりも視認側に配置され、当該背景表示板３０とは実質平行に設けられている。視認側板面７０ｂは視認側を向いている。背面側板面７０ｃは、背面側を向くことで、発光指針６０の針状部６４を挟んで背景表示板３０と対向している。
【００３８】
こうした透光板７０は、着色部７１、ぼかし部７２、及び指標部７５を有している。着色部７１、ぼかし部７２、及び指標部７５は、背景表示板３０の左右の領域に対応して複数設けられている。着色部７１、ぼかし部７２、及び指標部７５は、左右の領域で実質的に同様の構成となっているため、以下では左の領域の構成について代表して説明する。
【００３９】
着色部７１は、透光板７０において発光指針６０の可動範囲と対向する領域のうち、ボス部６３及びボスキャップ６９と対向する領域に配置されている。着色部７１は、指針軸ＡＸに中心を合わせた円形状に設けられている。着色部７１は、例えば背面側板面７０ｃにスモーク調の印刷が施されることにより、透光板７０を半透光性に着色している。こうした着色部７１により、ボス部６３及びボスキャップ６９が視認側から殆ど視認できないようになっている。
【００４０】
ぼかし部７２は、透光板７０において発光指針６０の可動範囲と対向する領域のうち、針状部６４の基端側の光射出部６７と対向する領域に配置されている。具体的に、ぼかし部７２は、着色部７１よりも外周側において、当該着色部７１と同心円上の円環状に設けられている。
【００４１】
ぼかし部７２は、複数の筋状部７３及び複数の露出部７４を有しており、所謂スピン調印刷部となっている。筋状部７３は、背面側板面７０ｃ上において、発光指針６０の針状部６４の延伸方向ＥＤ（本実施形態では径方向）と交差する交差方向ＣＤ（本実施形態では周方向）に伸びる細い筋状に形成されている。各筋状部７３は、例えば背面側板面７０ｃに紫外線により硬化するＵＶ硬化型インクを用いた印刷を施すことにより形成されている。ＵＶ硬化型インクは、光源光に光学作用を及ぼす材料となっている。一方、露出部７４は、ぼかし部７２において背面側板面７０ｃが露出することで構成されている。
【００４２】
より詳細に、各筋状部７３は、互いに異なる径に設定された円環状に形成され、指針軸ＡＸを中心とした同心円上に並べられている。各筋状部７３が互いに径方向に間隔を空けて配置されていることにより、ぼかし部７２では、筋状部７３と露出部７４とが交互に並べられて配置されている。各筋状部７３は、背面側板面７０ｃに対して凸状に形成されているため、筋状部７３と露出部７４との間で径方向に周期的な凹凸が形成されている。
【００４３】
したがって、２箇所の光射出部６５，６７のうち基端側の光射出部６５から、ぼかし部７２と対向する発光面６５ａによって視認側に射出された光源光は、ぼかし部７２を通過した後、視認側から視認されることとなる。ここで、ぼかし部７２のうち露出部７４を通過する光源光は、特有の光学作用を受けずに単に通過するだけなので、視認側からは、針状部の側面輪郭６４ｂがそのまま視認され得る。
【００４４】
その一方で、ぼかし部７２のうち筋状部７３を通過する光源光は、ＵＶ硬化型インクにより形成された当該筋状部７３により特有の光学作用を受ける。具体的に、光学作用として、屈折作用及び拡散作用が光源光に及ぼされる。この結果、針状部６４において延伸方向ＥＤに沿って伸びる側面輪郭６４ｂのうち、筋状部７３と交差する部分では、実際の側面輪郭６４ｂよりも筋状部７３の交差方向ＣＤに、光源光が拡がって視認される。こうしてぼかし部７２により光源光にぼかし作用が付与される。
【００４５】
故に、図５，６に示すように、発光指針６０の針状部６４のうち、ぼかし部７２に視認側から覆われた部分の側面輪郭６４ｂは、交互に並べられた筋状部７３と露出部７４との光源光への光学作用の相違により、認識困難なまでにぼかされて表示されることとなる。なお、図３，６において、筋状部７３及び露出部７４のうち、外周側の一部にのみ符号が付されている。
【００４６】
指標部７５は、発光指針６０に指示されることにより、車両の情報を表示するようになっている。透光板７０は、指標部７５において、図３，４に詳細を示すように、一対の板面７０ｂ，７０ｃのうち一方の板面から反対の板面側へ凹む複数の凹状穴７６を有している。特に本実施形態の凹状穴７６は、板面７０ｃから板面７０ｂ側へ向かって透光板７０の板厚方向に凹んでいる。凹状穴７６は、底面７６ａ及び側壁面７６ｂを有している。底面７６ａは、凹状穴７６のうち最も板面７０ｃから離間した位置において、平面状に形成されている。側壁面７６ｂは、底面７６ａを全周に亘って囲む立壁状に形成されている。
【００４７】
各凹状穴７６は、透光板用光源部２４の光により照明されて光輝するようになっている。より詳細に、透光板用光源部２４の各発光素子２４ａからの光は、透光板７０の外縁部７０ａを介して、当該透光板７０の内部に取り込まれる。透光板７０の内部では、各発光素子２４ａからの光が透光板７０の沿設方向に沿って進んでいき、各凹状穴７６の側壁面７６ｂを照明する。この結果、側壁面７６ｂによる各凹状穴７６の輪郭が照明により光輝する。本実施形態では、各凹状穴７６の凹み深さを、透光板用光源部２４から遠ざかるほど深く設定することにより、各凹状穴７６における発光輝度の均一化が図られている。
【００４８】
特に本実施形態では、各凹状穴７６の底面７６ａ及び側壁面７６ｂは、例えばシボ加工により粗面状に形成されていることで、各発光素子２４ａからの光を拡散するようになっている。このため、側壁面７６ｂに加えて、底面７６ａも少し光輝するようになっている。
【００４９】
各凹状穴７６の側壁面７６ｂによる輪郭が指標の形状をなしていることで、指標部７５が設けられている。具体的に、指標部７５は、目盛の形状をなす目盛指標７５ａ及び文字の形状をなす文字指標７５ｂを有している。文字指標７５ｂとしては、目盛に対応する数値を表す数値指標７５ｃ及び当該数値の単位を表す単位指標７５ｄが設けられている。
【００５０】
単位指標７５ｄは、ぼかし部７２よりも内周側において、着色部７１と重なった領域に配置されている。具体的に、左側の指標部７５における単位指標７５ｄは、車両の速度を示す単位である「ｋｍ／ｈ」の文字を表している。図５に示すように、単位指標７５ｄは、背面側板面７０ｃに設けられた着色部７１を背景として、透光板用光源部２４の光による照明で光輝して、輝度コントラストが高い状態でシルエット状に表示される。
【００５１】
目盛指標７５ａ及び数値指標７５ｃは、図３，４に詳細を示すように、ぼかし部７２よりも外周側に配置されている。このうち目盛指標７５ａは、指標部７５のうち最も外周側に配置されており、指針軸ＡＸに中心を合わせた部分円環状に、凹状穴７６からなる目盛を複数配列して形成されている。目盛指標７５ａは、背景表示板３０を背景として、透光板用光源部２４の光による照明で光輝して表示される。
【００５２】
目盛指標７５ａは、透光板７０において発光指針６０の可動範囲と対向する領域のうち、針状部６４の先端側の光射出部６７と対向する領域に配置されている。この結果、目盛指標７５ａは、光射出部６７と重なって視認されるようになっている。図５，６に示すように、ぼかし部７２は、光射出部６５が目盛指標７５ａと重なって視認される領域を避けて形成されているので、目盛指標７５ａは、明確に視認される発光指針６０の側面輪郭６４ｂと重なることで、乗員は、発光指針６０が目盛指標７５ａの何処を指示しているのかはっきりと読み取ることができる。
【００５３】
数値指標７５ｃは、目盛指標７５ａよりも内周側に配置されており、指針軸ＡＸに中心を合わせた部分円環状に、凹状穴７６からなり、目盛指標７５ａに対応する数字を、複数配列して形成されている。具体的に、左側の指標部７５における数値指標７５ｃは、車両の速度を２０ｋｍ／ｈピッチで表している。数値指標７５ｃは、背景表示板３０を背景として、透光板用光源部２４の光による照明で光輝して表示される。
【００５４】
数値指標７５ｃは、透光板７０において発光指針６０の可動範囲と対向する領域のうち、針状部６４の光射出規制部６６と対向する領域に配置されている。この結果、数値指標７５ｃは、光射出規制部６６と重なって視認されるようになっている。図５，６に示すように、ぼかし部７２は、光射出規制部６６が目盛指標７５ａと重なって視認される領域を避けて形成されており、光射出規制部６６からの光源光の射出は、規制されている。したがって、数値指標７５ｃの背面側に重なる発光指針６０が発光して視認されることが抑制されているので、数値指標７５ｃが表す文字は、発光指針６０と重なっていたとしても、背景表示板３０に対して浮かび上がったように、判読性が高い状態で表示される。
【００５５】
こうして、ぼかし部７２では発光指針６０の側面輪郭６４ａをぼかしつつも、目盛指標７５ａ及び数値指標７５ｃと重なって視認される領域では、透光板７０の存在を認識され難い状態として、発光指針６０又は背景表示板３０を意図した通りに乗員に視認させることができるのである。
【００５６】
（作用効果）
以上説明した本実施形態の作用効果を以下に改めて説明する。
【００５７】
本実施形態によると、透光板７０においてぼかし部７２は、発光指針６０の可動範囲と対向して配置される。こうして、視認側からは、ぼかし部７２を通して発光指針６０の少なくとも一部分が視認されることとなるが、発光指針６０が発光した光源光が当該ぼかし部７２の影響によりぼかし作用を受ける結果、当該発光指針６０の一部分の輪郭は、ぼかされて表示されることとなる。故に、実体物の指針６０を用いた場合であっても、輪郭をぼかして視認させることにより、従来にはない斬新な見栄えを実現することができるのである。
【００５８】
また、本実施形態によると、発光指針６０の可動範囲と対向する領域のうち、発光指針６０が指標部７５と重なって視認される領域を避けて設けられている。このようにすると、発光指針６０のうちぼかし部７２と重なって視認されない領域では、発光指針６０の輪郭６４ｂを明確に視認させることができる。故に、１つの指針６０で輪郭６４ｂをぼかした部分と輪郭６４ｂが明確に視認される部分とが共存することとなり、こうした輪郭６４ｂの見せ方の対比により、見栄えの斬新さは顕著なものとなる。そして、輪郭６４ｂが明確に視認される部分と重なって指標部７５が指示されることとなる。したがって、発光指針６０の一部分の輪郭６４ｂがぼかされている構成であっても、指標部７５の指示位置は明確となり、斬新な見栄えと表示の明確さとを両立することができる。
【００５９】
また、本実施形態によると、筋状部７３と露出部７４とが交互に並べられて配置されている。このようにすると、露出部７４では、発光指針６０が発光した光源光がそのまま透過する一方、筋状部７３では、当該光源光に例えば屈折、拡散等の光学作用が及ぶ。発光指針６０の延伸方向ＥＤと交差する筋状部７３が配置された箇所だけ、発光指針６０の輪郭が露出部７４とは異なった見え方に視認されることで、発光指針６０の少なくとも一部分において輪郭がぼかされる。故に、斬新な見栄えを実現することができる。
【００６０】
また、本実施形態によると、筋状部７３は、円環状に形成され、回動する発光指針６０の指針軸ＡＸを中心とした同心円上に複数並べてられている。このようにすると、発光指針６０の回動によっても、発光指針６０のうち常に同じ一部分がぼかされて表示されることとなる。これと共に、発光指針６０の位置に依らず、筋状部７３が当該発光指針６０の延伸方向ＥＤに対して実質垂直な周方向に沿って交差することとなる。したがって、発光指針６０の回動によっても、当該発光指針６０のぼかされ方が変化し難い。すなわち、発光指針６０が回動しても、ぼかし部による斬新な見栄えを維持可能となる。
【００６１】
また、本実施形態によると、光射出部６７により、目盛指標７５ａと重なって視認される箇所においては、発光指針６０から光源光が射出される。したがって、発光指針６０が発光した光源光が目盛指標７５ａと重なって、目盛指標７５ａによる表示の読み取りは容易となる。一方で、光射出規制部６６により、文字指標７５ｂと重なって視認される箇所においては、発光指針６０からの光源光の射出が規制されている。したがって、文字指標７５ｂが光源光と重なることが回避されることで、文字指標７５ｂの判読性が高まる。故に、表示の明確さを高めつつ、ぼかし部７２による斬新な見栄えを実現することができる。
【００６２】
また、本実施形態によると、指標部７５は、透光板７０に設けられている。すなわち、指標部７５が、発光指針６０より視認側に位置することとなるため、表示をより立体的に見せることができるので、見栄えの斬新さを格別なものとすることができる。
【００６３】
また、本実施形態によると、複数の凹状穴７６の側壁面７６ｂによる輪郭が指標の形状をなすことで、指標部７５が設けられている。こうした凹状穴７６によって、表示は極めて立体的となるため、見栄えの斬新さを格別なものとすることができる。
【００６４】
（他の実施形態）
以上、一実施形態について説明したが、発明は、当該実施形態に限定して解釈されるものではなく、発明の要旨を逸脱しない範囲内において種々の実施形態に適用することができる。
【００６５】
具体的に、変形例１としては、ぼかし部７２として、スピン調印刷部以外の構成を採用することができる。例えば、ぼかし部７２は、透光板７０の板面７０ｂ又は７０ｃにマットコート等による印刷を施すことにより、透光板７０の一部分をくもりガラス状に形成して、発光指針６０が発光した光源光にぼかし作用を付与するようにしてもよい。また例えば、ぼかし部７２は、透光板７０の板面７０ｂ又は７０ｃを彫り込むことにより、円環状の筋状部を指針軸ＡＸを中心とした同心円上に複数並べて形成し、筋状部による凹凸を用いて、発光指針６０が発光した光源光にぼかし作用を付与するようにしてもよい。
【００６６】
変形例２としては、ぼかし部７２を、針状部６４の先端側の光射出部６７と重なって視認される領域に形成すると共に、指標部７５のうち目盛指標７５ａを、針状部６４の基端側の光射出部６７と重なって視認される領域に形成してもよい。
【００６７】
変形例３としては、指標部７５は、発光指針６０よりも視認側に配置された透光板７０に印刷を施すことにより設けられていてもよい。
【００６８】
変形例４としては、指標部７５は、発光指針６０よりも背面側に配置された背景表示板３０に印刷を施すことにより設けられていてもよい。
【００６９】
変形例５としては、背景表示板３０よりも背面側に配置された発光素子２２ａが当該背景表示板３０の透光領域又は半透光領域を照明することで、背景表示板３０に、発光指針６０等に対する背景として認識される模様が表示されるようにしてもよい。
【００７０】
変形例６としては、発光指針６０は、Ｕ字状（コの字状）に形成されていてもよい。具体的に、透光板７０の周囲に隙間を設けた上で、針状部６４の基端側を背景表示板３０と透光板７０との間に配置すると共に、針状部６４の先端側を、透光板７０の外縁部７０ａに回り込ませて透光板７０よりも視認側に配置するようにしてもよい。この際に、針状部６４の先端側から透光板７０に向けて発光した光源光に対して、ぼかし部７２がぼかし作用を付与する構成としてもよい。
【００７１】
変形例７としては、発光指針６０は、可動して指標部７５を指示する構成であれば、指針軸ＡＸまわりに回動する構成ではなく、直線的に平行移動する構成であってもよい。
【符号の説明】
【００７２】
１００  車両用表示装置、２２  指針用光源部（光源部）、６０  発光指針、７０  透光板、７２  ぼかし部、７５  指標部
【図１】
2018197724.tif 000003
【図２】
2018197724.tif 000004
【図３】
2018197724.tif 000005
【図４】
2018197724.tif 000006
【図５】
2018197724.tif 000007
【図６】
2018197724.tif 000008